(57)【要約】【課題】  認証等がなされてセキュリティが確保された手続きに対して、このセキュリティが担保された手続きを利用して新たな情報を取得できる機能を付加するプログラム及び情報出力システムを提供する。【解決手段】  接触認識機能を有する表示面を備え、該表示面への入力デバイスによる接触により接触情報を得るコンピュータに、前記入力デバイスによる接触の契機となる契機情報を前記表示面に表示するステップ、前記入力デバイスによる接触に従った接触情報を取得するステップ、取得された前記接触情報が所定条件に適合したとき、前記入力デバイスに対応する印影を表わす印影情報を前記表示面に表示するステップ、前記印影情報が表示されたとき、回線を介して新たな情報を出力する、前記契機情報と前記印影情報の両方又はいずれか一方に紐付けされた誘導情報を存在させるステップ、を実行させる。【選択図】図１
2017194941.tif 000002
【特許請求の範囲】
【請求項１】
接触認識機能を有する表示面を備え、該表示面への入力デバイスによる接触により接触情報を得るコンピュータに、
前記入力デバイスによる接触の契機となる契機情報を前記表示面に表示するステップ、
前記入力デバイスによる接触に従った接触情報を取得するステップ、
取得された前記接触情報が所定条件に適合したとき、前記入力デバイスに対応する印影を表わす印影情報を前記表示面に表示するステップ、
前記印影情報が表示されたとき、回線を介して新たな情報を出力する、前記契機情報と前記印影情報の両方又はいずれか一方に紐付けされた誘導情報を存在させるステップ、
を実行させるプログラム。
【請求項２】
接触認識機能を有する表示面を備え、該表示面への入力デバイスによる接触により接触情報を得るコンピュータに、
前記入力デバイスによる接触の契機となる契機情報を前記表示面に表示するステップ、
前記入力デバイスによる接触に従った接触情報を取得するステップ、
取得された前記接触情報が所定条件に適合したとき、前記入力デバイスに対応する印影を表わす印影情報を前記表示面に表示するステップ、
前記印影情報が表示されたとき、前記契機情報と前記印影情報の両方又はいずれか一方に紐付けされてなる、回線を介して新たな情報を出力する誘導情報を存在させてコンピュータへの入力を誘導するステップ、
を実行させるプログラム。
【請求項３】
接触認識機能を有する表示面を備え、該表示面への入力デバイスによる接触により接触情報を得るコンピュータに、
前記入力デバイスによる接触の契機となる契機情報を前記表示面に表示するステップ、
前記入力デバイスによる接触に従った接触情報を取得するステップ、
取得された前記接触情報が所定条件に適合したとき、前記入力デバイスに対応する印影を表わす印影情報を前記表示面に表示するステップ、
前記印影情報が表示されたとき、コンピュータへの入力を誘導する、前記契機情報と前記印影情報の両方又はいずれか一方に紐付けされた誘導情報を出力するステップ、
前記誘導情報に従った入力があったとき、回線を介して新たな情報を出力するステップ、
を実行させるプログラム。
【請求項４】
誘導情報は画像又はテキストであり、前記画像又は前記テキストを印影情報に重ねて表示させる請求項１乃至請求項３のいずれか一項に記載のプログラム。
【請求項５】
新たな情報が、コンピュータに登録されているユーザ情報に基づく情報である請求項１乃至請求項４のいずれか一項に記載のプログラム。
【請求項６】
接触認識機能を有する表示面を備えるコンピュータと、前記表示面に接触されて前記コンピュータへ接触情報を与える入力デバイスとを備える情報出力システムであって、
前記コンピュータは、
前記入力デバイスによる接触の契機となる契機情報を前記表示面に表示する契機情報表示手段と、
前記入力デバイスによる接触に従った接触情報を取得する取得手段と、
取得された前記接触情報が所定条件に適合したとき、前記入力デバイスに対応する印影を表わす印影情報を前記表示面に表示する印影情報表示手段と、
前記印影情報が表示されたとき、コンピュータへの入力を誘導して回線を介して新たな情報を出力させる、前記契機情報と前記印影情報の両方又はいずれか一方に紐付けされた誘導情報を存在させる出力手段と、
を有することを特徴とする情報出力システム。
【請求項７】
接触認識機能を有する表示面を備えるコンピュータと、前記表示面に接触されて前記コンピュータへ接触情報を与える入力デバイスとを備える情報出力システムであって、
前記コンピュータは、
前記入力デバイスによる接触の契機となる契機情報を前記表示面に表示する契機情報表示手段と、
前記入力デバイスによる接触に従った接触情報を取得する取得手段と、
取得された前記接触情報が所定条件に適合したとき、前記入力デバイスに対応する印影を表わす印影情報を前記表示面に表示する印影情報表示手段と、
前記印影情報が表示されたとき、コンピュータへの入力を誘導する、前記契機情報と前記印影情報の両方又はいずれか一方に紐付けされた誘導情報を出力する出力手段と、
前記誘導情報に従った入力があったとき、回線を介して新たな情報を出力する情報出力手段と、
を有することを特徴とする情報出力システム。
【請求項８】
新たな情報が、コンピュータに登録されているユーザ情報に基づく情報である請求項６又は請求項７に記載の情報出力システム。
【発明の詳細な説明】
【技術分野】
【０００１】  本発明は、接触認識機能を有する表示面を備えるコンピュータに用いられるソフトウェア技術に関するものである。
【背景技術】
【０００２】  接触認識機能を有する表示面（以下、「タッチパネル」とも言う。）を備えるコンピュータは、タッチパネルの入力面にタッチしているユーザの指先やユーザが操作するタッチペンのタッチ位置を検出し、このタッチ位置に応じた処理を実行する。このようなタッチパネルは、複数のタッチ位置を検出することができる所謂マルチタッチの検出を可能とするものが主流であり、例えば、静電容量の変化を検出する静電容量方式のタッチパネルや押圧量の変化を検出する押圧方式のタッチパネル、これらの両方を採用したタッチパネル等がある。そして、このような特性を生かした入力デバイスとして、タッチパネルに接触させる接触子を突出させて配置し、タッチ位置の接触座標を入力するスタンプ型の入力デバイスがある。【０００３】  例えば、特許文献１に記載のシステムは、複数の接触子を有するスタンプ型のデバイスを有している。このデバイスがタッチパネルの入力面に配されるとき、接触子の各々のタッチ位置を検出し、検出したタッチ位置の入力面における複数の座標が入力される。タッチパネルを有する端末は、入力された複数の座標をコードに変換してサーバに送信する。サーバは、受信したコードを、予め記憶しておいたコードと照合し、適合したコードに対応する電子捺印画像を端末に返信する。電子捺印画像を受信した端末は、電子文書に電子捺印画像を付加してタッチパネルに表示する。これにより、捺印された電子文書が作成される。【０００４】  また、特許文献２に記載のシステムは、ユーザ端末の表示手段に電子チケットを表示させた状態で複数の按部を有するスタンプを接触させ、当該電子チケットに対して使用済みである旨を示す描画を行うサービス情報システムである。
【先行技術文献】
【特許文献】
【０００５】
【特許文献１】  特開２０１２−２５６２４６号公報
【特許文献２】  特開２０１５−５２７５号公報
【発明の概要】
【発明が解決しようとする課題】
【０００６】  前者のシステムは文書に印影を残すことによって責任や権威を証明するといったスタンプ本来の機能を電子文書に拡張し、後者のシステムは電子チケットに使用済み描画を施し、認証等の手段としてシステム化したものであり、いずれも、認証した時点で手続きが完結するものであった。【０００７】  そこで、本発明は、前記認証等がなされてセキュリティが確保された手続きに対して、このセキュリティが担保された手続きを利用して新たな情報を取得できる機能を付加するプログラム及び情報出力システムを提供することを目的とするものである。
【課題を解決するための手段】
【０００８】  前記技術的課題は、次の通りの本発明によって解決できる。【０００９】  即ち、本発明に係るプログラムは、接触認識機能を有する表示面を備え、該表示面への入力デバイスによる接触により接触情報を得るコンピュータに、前記入力デバイスによる接触の契機となる契機情報を前記表示面に表示するステップ、前記入力デバイスによる接触に従った接触情報を取得するステップ、取得された前記接触情報が所定条件に適合したとき、前記入力デバイスに対応する印影を表わす印影情報を前記表示面に表示するステップ、前記印影情報が表示されたとき、回線を介して新たな情報を出力する、前記契機情報と前記印影情報の両方又はいずれか一方に紐付けされた誘導情報を存在させるステップを実行させる。【００１０】  また、本発明に係るプログラムは、接触認識機能を有する表示面を備え、該表示面への入力デバイスによる接触により接触情報を得るコンピュータに、前記入力デバイスによる接触の契機となる契機情報を前記表示面に表示するステップ、前記入力デバイスによる接触に従った接触情報を取得するステップ、取得された前記接触情報が所定条件に適合したとき、前記入力デバイスに対応する印影を表わす印影情報を前記表示面に表示するステップ、前記印影情報が表示されたとき、前記契機情報と前記印影情報の両方又はいずれか一方に紐付けされてなる、回線を介して新たな情報を出力する誘導情報を存在させてコンピュータへの入力を誘導するステップを実行させる。【００１１】  また、本発明に係るプログラムは、接触認識機能を有する表示面を備え、該表示面への入力デバイスによる接触により接触情報を得るコンピュータに、前記入力デバイスによる接触の契機となる契機情報を前記表示面に表示するステップ、前記入力デバイスによる接触に従った接触情報を取得するステップ、取得された前記接触情報が所定条件に適合したとき、前記入力デバイスに対応する印影を表わす印影情報を前記表示面に表示するステップ、前記印影情報が表示されたとき、コンピュータへの入力を誘導する、前記契機情報と前記印影情報の両方又はいずれか一方に紐付けされた誘導情報を出力するステップ、前記誘導情報に従った入力があったとき、回線を介して新たな情報を出力するステップを実行させる。【００１２】  また、本発明は、前記いずれかのプログラムにおいて、誘導情報は画像又はテキストであり、前記画像又は前記テキストを印影情報に重ねて表示させるものである。【００１３】  また、本発明に係る情報出力システムは、接触認識機能を有する表示面を備えるコンピュータと、前記表示面に接触されて前記コンピュータへ接触情報を与える入力デバイスとを備える情報出力システムであって、前記コンピュータが、前記入力デバイスによる接触の契機となる契機情報を前記表示面に表示する契機情報表示手段と、前記入力デバイスによる接触に従った接触情報を取得する取得手段と、取得された前記接触情報が所定条件に適合したとき、前記入力デバイスに対応する印影を表わす印影情報を前記表示面に表示する印影情報表示手段と、前記印影情報が表示されたとき、コンピュータへの入力を誘導して回線を介して新たな情報を出力させる、前記契機情報と前記印影情報の両方又はいずれか一方に紐付けされた誘導情報を存在させる出力手段とを備えて構成されているものである。【００１４】  また、本発明に係る情報出力システムは、接触認識機能を有する表示面を備えるコンピュータと、前記表示面に接触されて前記コンピュータへ接触情報を与える入力デバイスとを備える情報出力システムであって、前記コンピュータが、前記入力デバイスによる接触の契機となる契機情報を前記表示面に表示する契機情報表示手段と、前記入力デバイスによる接触に従った接触情報を取得する取得手段と、取得された前記接触情報が所定条件に適合したとき、前記入力デバイスに対応する印影を表わす印影情報を前記表示面に表示する印影情報表示手段と、前記印影情報が表示されたとき、コンピュータへの入力を誘導する、前記契機情報と前記印影情報の両方又はいずれか一方に紐付けされた誘導情報を出力する出力手段と、前記誘導情報に従った入力があったとき、回線を介して新たな情報を出力する情報出力手段とを備えてい構成されているものである。【００１５】  さらに、本発明は、前記プログラム又は前記情報出力システムにおいて、新たな情報をコンピュータに登録されているユーザ情報に基づく情報としたものである。
【発明の効果】
【００１６】  本発明によれば、認証等が得られ、セキュリティが担保された手続きを受けて、新たな情報を取得できるようにしたので、適正を確保した対象に対して重要な情報を提供できる。
【図面の簡単な説明】
【００１７】
【図１】  本発明の一実施の形態を示す情報出力システムの構成図であり、（ａ）は実施の形態１に係る情報出力システムに用いられるユーザ端末及びスタンプデバイスの使用状態を示す斜視図、（ｂ）はスタンプデバイスを底側から見た斜視図である。
【図２】  図１に示すユーザ端末のブロック図である。
【図３】  実施の形態１に係るプログラムのフローチャート図である。
【図４】  図１に示すユーザ端末の状態を示す説明図であり、（ａ）はチケット画像が表示されている図、（ｂ）は印影画像とアイコン画像が表示されている図、（ｃ）は個人情報が出力されている図である。
【図５】  本発明の一実施の形態を示す情報出力システムの構成図であり、（ａ）は実施の形態２に係るシステムの概略図、（ｂ）は認証サーバの構成を説明するブロック図である。
【図６】  実施の形態２に係るプログラムの説明図であり、（ａ）はユーザ端末のタッチパネルにスタンプデバイスを押下している図、（ｂ）は印影画像とアイコン画像が表示されている図、（ｃ）はユーザがアイコン画像に触れている図、（ｄ）はＣＭが表示されている図である。
【発明を実施するための形態】
【００１８】  以下、本発明の実施の形態を図面に基づき説明する。
【００１９】実施の形態１．
【００２０】  コンサートイベントの来場者が所有する携帯情報端末（接触認識機能を有する表示面を備えるコンピュータ）にチケットを表示させて受付係が入場受付を行う電子チケットを例にして本発明に係る情報出力システムを説明する。
【００２１】  本実施の形態に係る情報出力システムは、図１の（ａ）に示すように、入場受付を行う受付係が所持するブロック状スタンプ型の入力デバイス（以下、「スタンプデバイス」という。）１と来場者の携帯情報端末（以下、ユーザ端末」という。）２とを有している。スタンプデバイス１は、その側面の各々に受付係によって把持される把持部３が形成されている。スタンプデバイス１に底面には、図１の（ｂ）に示すように、四つの突起４が下方に向かって形成されている。各突起４の高さは均一であり、各々の先端面は一定以上の面積を有する接面５となっている。把持部３と各突起４は、いずれも電気伝導性を有する材料からなり、各接面５と把持部３とは互いに導通する。四つの接面５は、底面の角部近傍に配された三つの基準接面５ａ〜５ｃと一つの固有接面５ｄとから構成されている。スタンプデバイス１は、これらの接面５が後述するユーザ端末２のタッチパネル（接触認識機能を有する表示面）６にそれぞれ接するように、受付係によってタッチパネル６上に配置される。
【００２２】  ユーザ端末２は、スマートフォンやタブレット端末に代表されるスマートデバイスである。ユーザ端末２のタッチパネル６は、図２に示すように、液晶ディスプレイ７と、この液晶ディスプレイ７上に配置されたフィルム状のセンサー８とを有している。センサー８はタッチパネルコントローラ９に接続されている。タッチパネルコントローラ９はセンサー８を制御し、センサー８に生じた静電容量の変化に基づいて位置情報である座標を検出する。また、センサー８とタッチパネルコントローラ９は、入力面であるタッチパネル６の表面に複数の接触部が与えられたとき、各接触部の座標を検出する、所謂マルチタッチの座標検出が可能となっている。そして、ユーザ端末２は、タッチパネル６、タッチパネルコントローラ９、記憶装置１０、中央処理装置（以下、「ＣＰＵ」という。）１１、ネットワーク通信手段１２及びスピーカ１３を備えるコンピュータ１４により実現されている。
【００２３】  コンピュータ１４の記憶装置１０には、基本ソフトウェア１５が記憶されている。この基本ソフトウェア１５は、コンピュータ１４が起動されたときに、ＣＰＵ１１によりロードされる。基本ソフトウェア１５をロードしたＣＰＵ１１は、記憶装置１０に格納されている種々のアプリケーションが実行可能な状態、及び、ネットワーク通信手段１２を介してインターネット通信回線に接続可能な状態となる。
【００２４】  また、コンピュータ１４の記憶装置１０には、チケットアプリケーションプログラム（以下、単に「アプリケーション」という。）１６が格納されている。アプリケーション１６は、チケットの購入後にインターネット通信回線を介してサーバ（図示せず。）からダウンロードされて記憶装置１０に格納される。
【００２５】  記憶装置１０に格納されたアプリケーション１６には、チケット画像（契機情報）１７、印影画像（印影情報）１８、アイコン画像（誘導情報）１９、照合情報２０及び入場フラグ２１が含まれている。チケット画像１７は、コンサート名、コンサート日時等、コンサートの内容を表示する静止画である。印影画像１８は、スタンプデバイス１に対応する印影を表示する静止画である。アイコン画像１９は、チケット画像１７と印影画像１８の両方又はいずれか一方に紐付けされて表示される静止画であり、アイコン画像１９に対して指等で接触することにより、アイコン画像１９に付与されたＵＲＬ（Ｕｎｉｆｏｒｍ  Ｒｅｓｏｕｒｃｅ  Ｌｏｃａｔｏｒ）に従ってインターネット通信回線を介して新たな情報が提供され、表示面（タッチパネル）６等に表示される。照合情報２０は、スタンプデバイス１の基準接面５ａ−固有接面５ｄ間の距離情報、基準接面５ｂ−固有接面５ｄ間の距離情報及び基準接面５ｃ−固有接面５ｄ間の距離情報である。これらの距離情報は、予め各基準接面５ａ〜５ｃに対する固有接面５ｄの距離の実測値に基づいて定められた数値である。入場フラグ２１は、来場者に入場が許可されたか否かの情報が格納されるフラグであり、初期値はクリアされた状態となっている。
【００２６】  入場受付を行う際にアプリケーション１６が選択されると、コンピュータ１４のＣＰＵ１１が、アプリケーション１６を内部メモリにロードして実行する。これにより、アプリケーション１６が起動されて、コンピュータ１４は次のように動作する。
【００２７】  先ず、ＣＰＵ１１は、図４の（ａ）に示すように、チケット画像１７をタッチパネル６の液晶ディスプレイ７に表示する（ステップｓ１）。これにより、来場者は受付係に対してチケット画像１７を示すことができる。このように、ＣＰＵ１１はチケット画像１７をタッチパネル６に表示するチケット画像表示部として機能している。
【００２８】  次に、ＣＰＵ１１は入場フラグ２１を参照する（ステップｓ２）。ステップｓ２において、入場フラグ２１が立っているときは、後述する印影画像１８の表示を実行する。これにより。図４の（ｂ）に示すように、液晶ディスプレイ７にはチケット画像１７と印影画像１８が表示された状態となる。
【００２９】  一方、ステップｓ２において入場フラグ２１が立っていないときは、液晶ディスプレイ７にはチケット画像１７のみが表示された状態となっている（図４の（ａ）参照）。このとき受付係はタッチパネル６上にスタンプデバイス１を配置する。そして、ＣＰＵ１１は、タッチパネルコントローラ９を介してタッチパネル６に接する各接面５の座標（以下、「接面座標」という。）を取得する（ステップｓ３）。このように、タッチパネル６に表示されたチケット画像１７はスタンプデバイス１による入力の契機となる契機情報である。また、タッチパネル６、タッチパネルコントローラ９及びＣＰＵ１１は、スタンプデバイス１により入力される接面座標を取得する取得部として機能している。
【００３０】  次に、ＣＰＵ１１は、取得した接面座標を照合情報２０と照合する（ステップｓ４）。具体的には、ＣＰＵ１１は取得した各接面座標の直線距離を求め、この中で最も長い直線距離をなす二つの接面座標をスタンプデバイス１の直線距離５ａ，５ｂにより入力された座標（以下、「基準座標ａ，ｂ」という。）と認定する。そして、認定された基準座標ａ，ｂの各々から等距離かつ長距離にある一の接面座標をスタンプデバイス１の基準接面５ｃにより入力された座標（以下。「基準座標ｃ」という。）と認定する。このように。ＣＰＵ１１は取得した接面座標からスタンプデバイス１の各基準接面５ａ〜５ｃに対応する基準座標ａ〜ｃを認定し、残りの接面座標をスタンプデバイス１の固有接面５ｄに対応する座標（以下、「固有座標ｄ」という。）として認定する。そして、求めた直線距離の内、基準座標ａ〜ｃと固有座標ｄの直線距離の各々を照合情報２０の距離情報と照らし合わせる。このように、ＣＰＵ１１は取得した接面座標を照合情報２０と照合する照合部として機能する。
【００３１】  ステップｓ４において、接面座標が照合情報２０に適合しなかったとき、ＣＰＵ１１は「チケットを認証できません。」等の情報を液晶ディスプレイ７に表示し、再度、座標の取得を行う。
【００３２】  一方、ステップｓ４において、接面座標が照合情報２０に適合したとき、ＣＰＵ１１は入場フラグ２１を立てる（ステップｓ５）。この入場フラグ２１はアプリケーション１６が終了するときに記憶装置１０にセーブされる。このため、ＣＰＵ１１はアプリケーション１６を再起動したとき、入場フラグ２１を参照することで（ステップｓ２）、入場の許可済み、即ち、認証済みであることの判断が可能となる。
【００３３】  次に、ＣＰＵ１１は、図４の（ｂ）に示すように、印影画像１８をチケット画像１７上に重ねて液晶ディスプレイ７に表示する（ステップｓ６）。このとき、取得した基準座標ａ，ｂに基づいてタッチパネル６上にあるスタンプデバイス１の底面の中心座標を算出し、印影画像１８の中心を中心座標に合わせて表示するのが好ましい。印影画像１８が表示されることでチケット画像１７の有効性がコンサートの主催者によって証明されたことになる。このように、ＣＰＵ１１は、取得した接面座標が照合情報２０に適合したときに印影画像１８をタッチパネル６に表示する印影表示部として機能している。
【００３４】  ＣＰＵ１１は、さらに、印影画像１８が表示されたとき、インターネット通信回線を介した新たな情報を出力できるアイコン画像（誘導情報）１９を液晶ディスプレイ７に表示することによりユーザ端末２に存在させる（ステップｓ７）。来場者がこのアイコン画像１９を指や指示棒等で触れる等すれば（ステップｓ８）、ＣＰＵ１１はアイコン画像１９に付与されたＵＲＬに従ってネットワーク通信手段１２を介して配信サーバ（図示せず。）接続し、図４の（ｃ）に示すように、新たな情報２２をダウンロードして画像情報、文字情報であれば液晶ディスプレイ１７に表示し、音声情報であれば、スピーカ１３から出力する（ステップｓ９）。このように、アイコン画像１９及びＣＰＵ１１は来場者の操作を受け付けて、新たな情報２２を出力するＧＵＩ（Ｇｒａｐｈｉｃａｌ  Ｕｓｅｒ  Ｉｎｔｅｒｆａｃｅ）として機能している。また、ＣＰＵ１１はＧＵＩが操作されたときに、必要であればブラウザを介してｆｔｐ（Ｆｉｌｅ  Ｔｒａｎｓｆｅｒ  Ｐｒｏｔｏｃｏｌ）やｈｔｔｐ（Ｈｙｐｅｒｔｅｘｔ  Ｔｒａｎｓｆｅｒ  Ｐｒｏｔｏｃｏｌ）等の通信プロトコルに基づいて配信サーバから新たな情報を取得してタッチパネル６に表示させ、スピーカ１３に出力する出力部として機能している。
【００３５】  新たな情報とは、例えば、広告業者が提供する来場者の嗜好を反映するインターネットＣＭ（嗜好情報）、クラウドなどに保存したコンピュータ１４に登録されている固有のユーザ情報に基づく情報（例えば、個人情報）、ポイント等の擬似貨幣を挙げることができる。また、誘導情報１９を存在させるとは、液晶ディスプレイ７に出力して画像やテキストを表示させること、画像又は前記テキストを印影情報に重ねて表示させること、画面の状態を変える等して知らせること等、コンピュータとしてのユーザ端末２が備える機能を利用して入力行為を促す状態をいう。さらに、照合情報２０は距離情報に限定されず、接面座標や距離情報に基づい作成されたコード情報等のＩＤであってもよく、この場合には、接面座標や距離情報をＩＤ化して照合装置２０と対比すればよい。また、取得した各接面座標の相対位置関係を基に生成した情報等のＩＤであってもよく、取得した各接面座標の距離と角度との関係を基に生成した情報等のＩＤであってもよい。
【００３６】  スタンプデバイス１によって印影画像１８が表示されて認証等が得られ、印影画像１８に紐付けされたアイコン画像１９を出現させてユーザ端末２に存在させるようにしたので、適正を確保した対象に対して適した情報を提供でき、また、今までにないセキュリティ環境が構築されているから、ユーザ端末２に対して重要情報を提供することができる。
【００３７】実施の形態２．
【００３８】  本実施の形態について、図５及び図６を参照して説明する。なお、図１乃至図４と同一符合は同一又は相当部分を示す。本実施の形態に係る情報出力システムは、図５の（ａ）に示すように、ユーザ端末２とスタンプデバイス１とスタンプデバイス１による認証を行う主体者が所有する認証サーバ２３と主体者と契約した広告業者が所有する情報サーバ２４とを備えており、広告業者が認証を利用してユーザ端末２の所有者に対してインターネットＣＭ（新たな情報）を提供する。
【００３９】  認証サーバ２３は、図５の（ｂ）に示すように、ネットワーク通信手段２５と中央処理装置（ＣＰＵ）２６と記憶装置２７とを備えるコンピュータにより実現されている。認証サーバ２３の記憶装置２７には、スタンプデバイス１を識別する照合情報２０、印影情報１８、誘導情報１９及びインターネットＣＭにアクセスする指定ＵＲＬからなるデータベース２８が保存されており、ＣＰＵ２６は、ユーザ端末２から契機情報１７と接面座標が送られてきた場合に接面座標と照合情報２０とが適合しているか否かを判断し、適合すれば、契機情報１７と照合情報２０とに対応した印影情報１８を特定し、データベース２８から例えばランダムに指定ＵＲＬを検索してヒットした指定ＵＲＬを誘導情報１９に付与した後、この誘導情報１９に契機情報１７と印影情報１８とを紐付けして印影情報１８と共に、ユーザ端末２へ送信する。
【００４０】  また、記憶装置２７には、ユーザの管理を行う管理アプリケーション２９が記憶されている。この管理アプリケージョン２９にはユーザ管理テーブルが含まれている。ユーザ管理テーブルはユーザ識別情報、パスワード及び適合フラグ等をフィールドに含み、ユーザごとにレコードが設けられている。このユーザ識別情報はユーザを互いに識別するための情報であり、各ユーザに個別に付与されている。管理アプリケーション２９を実行したＣＰＵ２６はネットワーク通信手段２５を用いてインターネット通信回線を介してユーザ端末２と通信可能となっている。これにより、ユーザごとに最適なインターネットＣＭを配信することもできる。
【００４１】  ユーザ端末２は、実施の形態１における来場者のユーザ端末２のコンピュータ１４と同様のハードウェア構成を有しており、記憶装置１０には、チケットアプリケーションプログラムやスタンプラリーアプリケーションプログラム等のアプリケーションプログラム、即ち、契機情報を表示させ、スタンプデバイス１の接面座標を取得させ、接面座標と照合情報２０が適合したとき印影画像１８を表示させ、さらに、誘導画像（誘導情報）１９を表示させるスタンプアプリケージョンプログラムが記憶されている。
【００４２】  本実施の形態におけるスタンプアプリケーションは、インストールされた際に、ユーザ端末２を使用するユーザの固有識別情報を取得する。このようなスタンプアプリケーションは、接面座標が照合情報２０に適合したときに、ユーザ端末２が保有するユーザの固有識別情報を、認証サーバ２３に対して送信させる。固有識別情報を受信した認証サーバ２３はこれに対応する適合フラグを立てる。
【００４３】  次に、動作フローを図面に基づいて説明する。
【００４４】  図６の（ａ）に示すように、スタンプ押印指示の契機情報１７が表示されているユーザ端末２のタッチパネル６にスタンプデバイス１を押下すれば（ステップｓ３参照）、スタンプデバイス１の接面座標データが主体者の認証サーバ２３へ送られ、認証サーバ２３において照合される（ステップｓ４参照）。
【００４５】  ＣＰＵ２６の制御により処理が実行され、正しいスタンプデバイス１であることが承認されれば、図６の（ｂ）に示すように、認証サーバ２３からユーザ端末２に対して印影情報１８と誘導画像１９が送信され、タッチパネル６に印影情報１８と誘導画像１９とが表示される（ステップｓ６、ｓ７参照）。誘導画像１９にはインターネットＣＭ（新たな情報）２２を表示させる指定ＵＲＬが付与されており、図６の（ｃ）に示すように、ユーザ端末２の所有者が誘導画像１９を指で接触すれぱ（ステップｓ８参照）、図６の（ｄ）に示すように、指定ＵＲＬに従って広告業者が所有する情報サーバ２４へアクセスし、情報サーバ２４から画像、動画、音声、文字からなるＣＭデータがユーザ端末２へ読み込まれてタッチパネル６にて再生される（ステップｓ９参照）。
【００４６】  なお、新たな情報の変形例として、ユーザは、ユーザ端末２を使用してメールアドレス、パスワード、個人情報等（固有識別情報）に基づいてネットワーク越にサービスを提供するクラウド上の画像サービスサーバ（以下、「指定サーバ」という。）２４との間でデータ保管登録手続きを行ってアカウント情報等を取得し、プライベート画像等のアルバムデータ（新たな情報）２２をアップロードする。このように、前もって、ユーザは、指定サーバ２４にユーザのアルバムデータ２２を保存する。
【００４７】  スタンプデバイス１による押印が認証されてユーザ端末２、契機情報１７及びスタンプデバイス１に係る情報との適正さが確保されれば、正しいスタンプデバイス１であることを承認して認証サーバ２３からユーザ端末２に対して誘導画像１９が埋め込まれた印影情報１８が送信され、タッチパネル６に印影情報１８と誘導画像１９とが表示され、この後、指定サーバ２４へ問い合わせ、指定サーバ２４にて適正が確保されている認証を得た後、ユーザ端末２の所有者が誘導画像１９を指で接触して指定ＵＲＬに従って指定サーバ２４へアクセスし、指定サーバ２４からアルバムデータ２２の写真画像等がユーザ端末２へ読み込まれてタッチパネル６にて表示されるようにしてもよい。
【００４８】  本実施の形態によれば、認証等が得られ、適正を確保したユーザ端末２に対して重要な情報を提供できる。
【００４９】  なお、回線とは、無線、有線を含む意味であり、例えば、固定電話回線、携帯電話回線、光回線、ＷｉＦｉ等は勿論のこと、インターネット回線をも含んでいる。また、入力デバイスの接触面は印鑑等の文字を含むキャラクタ面であってもよく、用途に応じて異なる配列の接面を有する入力デバイスを使い分けてもよい。また、入場券としての電子チケットに限定されず、例えば、飲食店などの店舗において客に渡される割引券、商品の引換券、ポイント等の電子チケットに対しても適用できることは勿論である。また、画像は動画も含む総称である。
【産業上の利用可能性】
【００５０】  本発明によれば、適正を確保した対象に対して重要な情報を提供できるから、今までにないセキュリティ環境の構築に利用できる。
【符号の説明】
【００５１】  １  スタンプデバイス（入力デバイス）
２  ユーザ端末（携帯情報端末）
３  把持部
４  突起
５  接面
６  タッチパネル
７  液晶ディスプレイ
８  センサー
９  タッチパネルコントローラ
１０  記憶装置
１１  ＣＰＵ（中央処理装置）
１２  ネットワーク通信手段
１３  スピーカ
１４  コンピュータ
１５  基本ソフトウェア
１６  チケットアプリケーション、アプリケーション
１７  チケット画像（契機情報）
１８  印影画像（印影情報）
１９  アイコン画像（誘導情報）
２０  照合情報、ＩＤ
２１  入場フラグ
２２  新たな情報（ユーザ情報、嗜好情報）
２３  認証サーバ
２４  情報サーバ、指定サーバ
２５  ネットワーク通信手段
２６  中央処理装置（ＣＰＵ）
２７  記憶装置
２８  データベース
２９  管理アプリケーション
【図１】
2017194941.tif 000003
【図２】
2017194941.tif 000004
【図３】
2017194941.tif 000005
【図４】
2017194941.tif 000006
【図５】
2017194941.tif 000007
【図６】
2017194941.tif 000008